【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
基地局（ＢＳ）と通信するための第１のアップリンク／ダウンリンク（ＵＬ／ＤＬ）サブフレーム構成のシグナリングを受信することと、
少なくとも２つのサブフレームセットを示す少なくとも１つのチャネル状態情報（ＣＳＩ）報告構成のシグナリングを受信することと、ここで、各サブフレームセットが干渉測定リソース（ＩＭＲ）構成に関連する、
アップリンクサブフレーム中の前記少なくとも２つのサブフレームセットについてのＣＳＩ報告の衝突を検出することと、
前記アップリンクサブフレーム中でのＣＳＩ報告のために前記少なくとも２つのサブフレームセットからの１つのサブフレームセットに優先度を付けることと、
前記優先度付けに基づいて前記アップリンクサブフレーム中でＣＳＩを報告することと
を備える、方法。
【請求項２】
前記少なくとも２つのサブフレームセットが、同じＣＳＩプロセスに関連する、請求項１に記載の方法。
【請求項３】
前記アップリンクサブフレーム中の衝突の下での前記サブフレームセットの中で、最も低く設定されたサブフレームセットインデックスをもつサブフレームセットが、より高い優先度を与えられる、請求項１に記載の方法。
【請求項４】
前記ＣＳＩ報告構成が、１つまたは複数のコンポーネントキャリアのための１つまたは複数のＣＳＩプロセスからなり、ＣＳＩ報告の前記優先度付けがさらに、ＣＳＩ報告タイプ、ＣＳＩプロセスインデックス、またはコンポーネントキャリアインデックスのうちの少なくとも１つに基づく、請求項１に記載の方法。
【請求項５】
前記ＣＳＩ報告が周期的ＣＳＩ報告タイプである、請求項１に記載の方法。
【請求項６】
前記第１のＵＬ／ＤＬサブフレーム構成が、システム情報ブロック（ＳＩＢ）を介してシグナリングされる、請求項１に記載の方法。
【請求項７】
前記第１のＵＬ／ＤＬサブフレーム構成よりも動的である第２のＵＬ／ＤＬサブフレーム構成を示す指示を受信すること
をさらに備える、請求項１に記載の方法。
【請求項８】
前記衝突を前記検出することが、
前記動的にシグナリングされた第２のＵＬ／ＤＬサブフレーム構成に基づいて前記ＣＳＩ報告のためのダウンリンク参照サブフレームを決定すること
を備える、請求項７に記載の方法。
【請求項９】
前記ダウンリンク参照サブフレームがアップリンクサブフレームであると決定することと、
前記衝突の前記検出に応答してＣＳＩ報告を変更することと、ここで、前記変更することが、古いまたは範囲外のうちの少なくとも１つである値をもつ測定報告を送ること、あるいはＣＳＩ報告を省略することのうちの少なくとも１つを備える、
を備える、請求項８に記載の方法。
【請求項１０】
少なくとも２つのＩＭＲに対応する干渉測定リソースは、前記少なくとも２つのＩＭＲが周期的に発生するサブフレームに限定されるという制約を受けない、請求項１に記載の方法。
【請求項１１】
前記第１のＵＬ／ＤＬサブフレーム構成が、システム情報ブロック（ＳＩＢ）を介してシグナリングされ、
前記少なくとも２つのＩＭＲ中の第１のＩＭＲと第２のＩＭＲとのうちの少なくとも１つが、前記第１のＵＬ／ＤＬサブフレーム構成によるＤＬサブフレーム内のみにあり、
前記少なくとも２つのＩＭＲ中の前記第１のＩＭＲと前記第２のＩＭＲとのうちの少なくとも１つが、前記第１のＵＬ／ＤＬサブフレーム構成においてＤＬサブフレームでなかったＤＬサブフレーム中で前記制約を受けない、
請求項１０に記載の方法。
【請求項１２】
前記少なくとも２つのＩＭＲ中の前記第１のＩＭＲと前記第２のＩＭＲとのうちの前記少なくとも１つが、最低サブフレームセットインデックスに関連する前記第１のＵＬ／ＤＬサブフレーム構成による前記ＤＬサブフレーム内のみにある、請求項１１に記載の方法。
【請求項１３】
基地局（ＢＳ）と通信するための第１のアップリンク／ダウンリンク（ＵＬ／ＤＬ）サブフレーム構成のシグナリングを受信するための手段と、
少なくとも２つのサブフレームセットを示す少なくとも１つのチャネル状態情報（ＣＳＩ）報告構成のシグナリングを受信するための手段と、ここで、各サブフレームセットが干渉測定リソース（ＩＭＲ）構成に関連する、
アップリンクサブフレーム中の前記少なくとも２つのサブフレームセットについてのＣＳＩ報告の衝突を検出するための手段と、
前記アップリンクサブフレーム中でのＣＳＩ報告のために前記少なくとも２つのサブフレームセットからの１つのサブフレームセットに優先度を付けるための手段と、
前記優先度付けに基づいて前記アップリンクサブフレーム中でＣＳＩを報告するための手段と
を備える、ワイヤレス通信のための装置。
【請求項１４】
前記少なくとも２つのサブフレームセットが、同じＣＳＩプロセスに関連する、請求項１３に記載の装置。
【請求項１５】
記憶された命令を備えるコンピュータ可読媒体であって、前記命令は、請求項１−１２のうちのいずれか一項に記載の方法を実行するための命令を備える、コンピュータ可読媒体。
【手続補正２】
【補正対象書類名】明細書
【補正対象項目名】００９４
【補正方法】変更
【補正の内容】
【００９４】
[0109]たとえば、受信するための手段は、図６に示されたユーザ機器６５０の受信機（たとえば、受信機６５４ＲＸ）および／あるいは（１つまたは複数の）アンテナ６５２を備え得る。検出するための手段および優先度を付けるための手段は、ユーザ機器６５０のＲＸプロセッサ６５６および／またはコントローラ／プロセッサ６５９などの１つまたは複数のプロセッサを含み得る処理システムを備え得る。報告するための手段は、ユーザ機器６５０の送信機（たとえば、送信機６５４ＴＸ）および／または（１つまたは複数の）アンテナ６５２を備え得る。
以下に本願の出願当初の特許請求の範囲に記載された発明を付記する。
［Ｃ１］
ユーザ機器（ＵＥ）によるワイヤレス通信のための方法であって、
基地局（ＢＳ）と通信するための第１のアップリンク／ダウンリンク（ＵＬ／ＤＬ）サブフレーム構成のシグナリングを受信することと、
少なくとも２つのサブフレームセットを示す少なくとも１つのチャネル状態情報（ＣＳＩ）報告構成のシグナリングを受信することと、ここで、各サブフレームセットが干渉測定リソース（ＩＭＲ）構成に関連する、
アップリンクサブフレーム中の前記少なくとも２つのサブフレームセットについてのＣＳＩ報告の衝突を検出することと、
前記アップリンクサブフレーム中のＣＳＩ報告のために前記少なくとも２つのサブフレームセットからの１つのサブフレームセットに優先度を付けることと、
前記優先度付けに基づいて前記アップリンクサブフレーム中でＣＳＩを報告することと
を備える、方法。
［Ｃ２］
前記少なくとも２つのサブフレームセットが、同じＣＳＩプロセスに関連する、Ｃ１に記載の方法。
［Ｃ３］
前記アップリンクサブフレーム中の衝突の下での前記サブフレームセットの中で、最も低く設定されたサブフレームセットインデックスをもつサブフレームセットが、より高い優先度を与えられる、Ｃ１に記載の方法。
［Ｃ４］
前記ＣＳＩ報告構成が、１つまたは複数のコンポーネントキャリアのための１つまたは複数のＣＳＩプロセスからなり、ＣＳＩ報告の前記優先度付けがさらに、ＣＳＩ報告タイプ、ＣＳＩプロセスインデックス、またはコンポーネントキャリアインデックスのうちの少なくとも１つに基づく、Ｃ１に記載の方法。
［Ｃ５］
前記ＣＳＩ報告が周期的ＣＳＩ報告タイプである、Ｃ１に記載の方法。
［Ｃ６］
前記第１のＵＬ／ＤＬサブフレーム構成が、システム情報ブロック（ＳＩＢ）を介してシグナリングされる、Ｃ１に記載の方法。
［Ｃ７］
前記第１のＵＬ／ＤＬサブフレーム構成よりも動的である第２のＵＬ／ＤＬサブフレーム構成を示す指示を受信すること
をさらに備える、Ｃ１に記載の方法。
［Ｃ８］
前記衝突を前記検出することが、
前記動的にシグナリングされた第２のＵＬ／ＤＬサブフレーム構成に基づいて前記ＣＳＩ報告のためのダウンリンク参照サブフレームを決定すること
を備える、Ｃ７に記載の方法。
［Ｃ９］
前記ダウンリンク参照サブフレームがアップリンクサブフレームであると決定することと、
前記衝突の前記検出に応答してＣＳＩ報告を変更することと、ここで、前記変更することが、古いまたは範囲外のうちの少なくとも１つである値をもつ測定報告を送ること、あるいはＣＳＩ報告を省略することのうちの少なくとも１つを備える、
を備える、Ｃ８に記載の方法。
［Ｃ１０］
少なくとも２つのＩＭＲに対応する干渉測定リソースは、前記少なくとも２つのＩＭＲが周期的に発生するサブフレームに限定されるという制約を受けない、Ｃ１に記載の方法。
［Ｃ１１］
前記第１のＵＬ／ＤＬサブフレーム構成が、システム情報ブロック（ＳＩＢ）を介してシグナリングされ、
前記少なくとも２つのＩＭＲ中の第１のＩＭＲと第２のＩＭＲとのうちの少なくとも１つが、前記第１のＵＬ／ＤＬサブフレーム構成によるＤＬサブフレーム内のみにあり、
前記少なくとも２つのＩＭＲ中の前記第１のＩＭＲと前記第２のＩＭＲとのうちの少なくとも１つが、前記第１のＵＬ／ＤＬサブフレーム構成においてＤＬサブフレームでなかったＤＬサブフレーム中で前記制約を受けない、
Ｃ１０に記載の方法。
［Ｃ１２］
前記少なくとも２つのＩＭＲ中の前記第１のＩＭＲと前記第２のＩＭＲとのうちの前記少なくとも１つが、最低サブフレームセットインデックスに関連する前記第１のＵＬ／ＤＬサブフレーム構成による前記ＤＬサブフレーム内のみにある、Ｃ１１に記載の方法。
［Ｃ１３］
基地局（ＢＳ）と通信するための第１のアップリンク／ダウンリンク（ＵＬ／ＤＬ）サブフレーム構成のシグナリングを受信することと、
少なくとも２つのサブフレームセットを示す少なくとも１つのチャネル状態情報（ＣＳＩ）報告構成のシグナリングを受信することと、ここで、各サブフレームセットが干渉測定リソース（ＩＭＲ）構成に関連する、
アップリンクサブフレーム中の前記少なくとも２つのサブフレームセットについてのＣＳＩ報告の衝突を検出することと、
前記アップリンクサブフレーム中のＣＳＩ報告のために前記少なくとも２つのサブフレームセットからの１つのサブフレームセットに優先度を付けることと、
前記優先度付けに基づいて前記アップリンクサブフレーム中でＣＳＩを報告することと
を行うように構成された少なくとも１つのプロセッサと、
前記少なくとも１つのプロセッサに結合されたメモリと
を備える、ワイヤレス通信のための装置。
［Ｃ１４］
前記少なくとも２つのサブフレームセットが、同じＣＳＩプロセスに関連する、Ｃ１３に記載の装置。
［Ｃ１５］
前記アップリンクサブフレーム中の衝突の下での前記サブフレームセットの中で、最も低く設定されたサブフレームセットインデックスをもつサブフレームセットが、より高い優先度を与えられる、Ｃ１３に記載の装置。
［Ｃ１６］
前記ＣＳＩ報告構成が、１つまたは複数のコンポーネントキャリアのための１つまたは複数のＣＳＩプロセスからなり、ＣＳＩ報告の前記優先度付けがさらに、ＣＳＩ報告タイプ、ＣＳＩプロセスインデックス、またはコンポーネントキャリアインデックスのうちの少なくとも１つに基づく、Ｃ１３に記載の装置。
［Ｃ１７］
前記ＣＳＩ報告が周期的ＣＳＩ報告タイプである、Ｃ１３に記載の装置。
［Ｃ１８］
前記第１のＵＬ／ＤＬサブフレーム構成が、システム情報ブロック（ＳＩＢ）を介してシグナリングされる、Ｃ１３に記載の装置。
［Ｃ１９］
前記少なくとも１つのプロセッサが、
前記第１のＵＬ／ＤＬサブフレーム構成よりも動的である第２のＵＬ／ＤＬサブフレーム構成を示す指示を受信する
ようにさらに構成された、Ｃ１３に記載の装置。
［Ｃ２０］
衝突を検出するように構成された前記少なくとも１つのプロセッサが、前記動的にシグナリングされた第２のＵＬ／ＤＬサブフレーム構成に基づいて前記ＣＳＩ報告のためのダウンリンク参照サブフレームを決定する、Ｃ１９に記載の装置。
［Ｃ２１］
ダウンリンク参照サブフレームを決定するように構成された前記少なくとも１つのプロセッサは、前記ダウンリンク参照サブフレームがアップリンクサブフレームであると決定し、前記衝突の前記検出に応答してＣＳＩ報告を変更し、ここにおいて、ＣＳＩ報告を変更するように構成された前記少なくとも１つのプロセッサが、古いまたは範囲外のうちの少なくとも１つである値をもつ測定報告を送るか、あるいはＣＳＩ報告を省略するように構成された、Ｃ２０に記載の装置。
［Ｃ２２］
少なくとも２つのＩＭＲに対応する干渉測定リソースは、前記少なくとも２つのＩＭＲが周期的に発生するサブフレームに限定されるという制約を受けない、Ｃ１３に記載の装置。
［Ｃ２３］
前記第１のＵＬ／ＤＬサブフレーム構成が、システム情報ブロック（ＳＩＢ）を介してシグナリングされ、
前記少なくとも２つのＩＭＲ中の第１のＩＭＲと第２のＩＭＲとのうちの少なくとも１つが、前記第１のＵＬ／ＤＬサブフレーム構成によるＤＬサブフレーム内のみにあり、
前記少なくとも２つのＩＭＲ中の前記第１のＩＭＲと前記第２のＩＭＲとのうちの少なくとも１つが、前記第１のＵＬ／ＤＬサブフレーム構成においてＤＬサブフレームでなかったＤＬサブフレーム中で前記制約を受けない、
Ｃ２２に記載の装置。
［Ｃ２４］
前記少なくとも２つのＩＭＲ中の前記第１のＩＭＲと前記第２のＩＭＲとのうちの前記少なくとも１つが、最低サブフレームセットインデックスに関連する前記第１のＵＬ／ＤＬサブフレーム構成による前記ＤＬサブフレーム内のみにある、Ｃ２３に記載の装置。
［Ｃ２５］
基地局（ＢＳ）と通信するための第１のアップリンク／ダウンリンク（ＵＬ／ＤＬ）サブフレーム構成のシグナリングを受信するための手段と、
少なくとも２つのサブフレームセットを示す少なくとも１つのチャネル状態情報（ＣＳＩ）報告構成のシグナリングを受信するための手段と、ここで、各サブフレームセットが干渉測定リソース（ＩＭＲ）構成に関連する、
アップリンクサブフレーム中の前記少なくとも２つのサブフレームセットについてのＣＳＩ報告の衝突を検出するための手段と、
前記アップリンクサブフレーム中のＣＳＩ報告のために前記少なくとも２つのサブフレームセットからの１つのサブフレームセットに優先度を付けるための手段と、
前記優先度付けに基づいて前記アップリンクサブフレーム中でＣＳＩを報告するための手段と
を備える、ワイヤレス通信のための装置。
［Ｃ２６］
記憶された命令を備える非一時的コンピュータ可読媒体であって、前記命令は、
基地局（ＢＳ）と通信するための第１のアップリンク／ダウンリンク（ＵＬ／ＤＬ）サブフレーム構成のシグナリングを受信することと、
少なくとも２つのサブフレームセットを示す少なくとも１つのチャネル状態情報（ＣＳＩ）報告構成のシグナリングを受信することと、ここで、各サブフレームセットが干渉測定リソース（ＩＭＲ）構成に関連する、
アップリンクサブフレーム中の前記少なくとも２つのサブフレームセットについてのＣＳＩ報告の衝突を検出することと、
前記アップリンクサブフレーム中のＣＳＩ報告のために前記少なくとも２つのサブフレームセットからの１つのサブフレームセットに優先度を付けることと、
前記優先度付けに基づいて前記アップリンクサブフレーム中でＣＳＩを報告することと
を行うための命令を備える、非一時的コンピュータ可読媒体。